【手続補正書】
【提出日】平成24年2月16日(2012.2.16)
【手続補正１】
【補正対象書類名】明細書
【補正対象項目名】００６０
【補正方法】変更
【補正の内容】
【００６０】
５回目以降も必要であれば繰り返し実行する。所定の回数を実行後は、モニタ用信号を生成するために、最新の波形データをメモリから読み出す。一例として、最新のデータがメモリＭ−４に記憶されている場合を説明すると次の通りである。データバスマルチプレクサ３４のクロスポイントＳ４１が選択され、マルチフェーズジェネレータＭＰＧ−３が生成するＭｅｍｏｒｙ  Ｒｅａｄ信号により決まるタイミングで、メモリＭ−４から波形データ読み出される。ＤＡＣモジュール３３は、この波形データをアナログ信号に変換し、さらにローパスフィルタＬＰＦ−３および線形アンプＡｍｐ−３による処理を経てモニタ用信号が生成される。モニタ用信号は、モニタポートＭＰを介して、オシロスコープやＢＥＲＴなどの評価装置３へ送出される。このようにして得られたモニタ用信号は、反射波形および通過損失の影響が「蓄積」された信号である。したがって、評価装置３による計測では、伝送路についてのアイダイアグラム、ジッタ量およびビットエラーレートなどの評価項目についてこれら反射波形および通過損失の影響が「現れやすく」なっているので、これら評価項目について、伝送路ごとの明確な差（バラツキ）として現れさせることができるので、伝送路ごとの伝送品質の良し悪しを判別しやすくすることができる。
【手続補正２】
【補正対象書類名】明細書
【補正対象項目名】００６６
【補正方法】変更
【補正の内容】
【００６６】
図３は、本発明の第２および第３の実施例による伝送路モデル化装置を示すブロック図である。評価対象である伝送路２は、その一端が、テストパスＴ１を介して本発明の第２の実施例による伝送路モデル化装置１１の出力ポートＯｕｔ１に接続され、その他端が、テストパスＴ２を介して伝送路モデル化装置１１の入力ポートＩｎ１に接続される。テストパスには、通常、ケーブルのほかに、コネクタ、テスト治具なども含まれる。
【手続補正３】
【補正対象書類名】明細書
【補正対象項目名】００６７
【補正方法】変更
【補正の内容】
【００６７】
また、伝送路モデル化装置１１は、バイパスケーブルＢＣを備えており、装置内の出力ポートＯｕｔ２と入力ポートＩｎ２との間に接続される。バイパスケーブルＢＣは、評価対象である伝送路２を伝送路モデル化装置１１に接続するのに用いられるケーブル（テストパスＴ１およびテストパスＴ２）と同じケーブル長およびケーブル特性を有する。すなわち、バイパスケーブルＢＣの両端にそれぞれ位置する出力ポートＯｕｔ２から入力ポートＩｎ２までの距離は、テストパスＴ１の両端にそれぞれ位置する出力ポートＯｕｔ１から接続点Ｐ１までの距離Ｌ１とテストパスＴ２の両端に位置する接続点Ｐ２から入力ポートＩｎ１までの距離Ｌ２との合計と、同じである。
【手続補正４】
【補正対象書類名】明細書
【補正対象項目名】００７８
【補正方法】変更
【補正の内容】
【００７８】
上述のＤＡＣモジュール４２、ローパスフィルタＬＰＦ−２および線形アンプＡｍｐ−２は、ディジタルフィルタＤＦ−２でフィルタリングされた波形データに基づいてアナログの評価信号を生成し、出力ポートＯｕｔ２を介して、バイパスケーブルＢＣの一端へ送出する第２の波形生成器を構成する。
【手続補正５】
【補正対象書類名】明細書
【補正対象項目名】００８１
【補正方法】変更
【補正の内容】
【００８１】
線形アンプＡｍｐ−４は、入力ポートＩｎ２を介して受信したバイパスケーブルＢＣからのアナログの出力信号を線形入力できる十分な入力レンジを有する線形増幅器であり、その入出力インピーダンスは例えば５０Ωである。
【手続補正６】
【補正対象書類名】明細書
【補正対象項目名】００８２
【補正方法】変更
【補正の内容】
【００８２】
ローパスフィルタＬＰＦ−３は、ＡＤＣモジュール４３に入力される信号の周波数帯域幅を制限するものであり、例えば帯域幅を１０ＧＨｚとする。その入出力インピーダンスは例えば５０Ωである。
【手続補正７】
【補正対象書類名】明細書
【補正対象項目名】００８３
【補正方法】変更
【補正の内容】
【００８３】
ローパスフィルタＬＰＦ−４は、ＡＤＣモジュール４４に入力される信号の周波数帯域幅を制限するものであり、例えば帯域幅を１０ＧＨｚとする。その入出力インピーダンスは例えば５０Ωである。
【手続補正８】
【補正対象書類名】明細書
【補正対象項目名】００８７
【補正方法】変更
【補正の内容】
【００８７】
ディジタル遅延回路ＤＤは、ディジタルディレイコントロールバス６２からの制御データにより、遅延時間が設定されるものである。この遅延時間は、評価対象である伝送路２の信号伝播時間に相当するものである。上述のように、バイパスケーブルＢＣ上の出力ポートＯｕｔ２から入力ポートＩｎ２までの距離は、テストパスＴ１の両端にそれぞれ位置する出力ポートＯｕｔ１と接続点Ｐ１との間の距離Ｌ１とテストパスＴ２の両端にそれぞれ位置する接続点Ｐ２と入力ポートＩｎ１との間の距離Ｌ２との合計と同じである。出力ポートＯｕｔ１および出力ポートＯｕｔ２の両ポートでは、評価信号の位相は一致している。しかしながら、出力ポートＯｕｔ１から入力ポートＩｎ１までの信号伝播時間は、出力ポートＯｕｔ２から入力ポートＩｎ２までの信号伝播時間よりも、伝送路２が存在する分だけ、長い。したがって、ディジタル遅延回路ＤＤは、後述するディレイレジスタ５１および位相検出器５２によって設定された遅延時間だけ、ＡＤＣモジュール４４から出力された波形データを、時間遅延させて出力する。この設定された遅延時間により、ＡＤＣモジュール４４から出力された波形データと、ＡＤＣモジュール４３から出力された波形データの位相とが一致することになる。
【手続補正９】
【補正対象書類名】明細書
【補正対象項目名】００８９
【補正方法】変更
【補正の内容】
【００８９】
ディレイレジスタ５１および位相検出器５２は、ＡＤＣモジュール４４から出力された波形データについて、その位相がＡＤＣモジュール４３から出力された波形データの位相と一致するよう、調整するためのものである。ディジタル遅延回路ＤＤの出力の位相とＡＤＣモジュール４３の出力の位相とが位相検出器５２によって検出され、両者の位相が一致するまで、ディジタルレジスタ５１の値を調整をし続ける。ディジタル遅延回路ＤＤの出力の位相とＡＤＣモジュール４３の出力の位相とが一致したならば、位相検出器５２は、ＦＦＴ５３とＦＦＴ５４の動作開始を指示する。
【手続補正１０】
【補正対象書類名】明細書
【補正対象項目名】００９７
【補正方法】変更
【補正の内容】
【００９７】
上述のように、バイパスケーブルＢＣの両端に位置する出力ポートＯｕｔ２から入力ポートＩｎ２までの距離は、テストパスＴ１の両端に位置する出力ポートＯｕｔ１から接続点Ｐ１までの距離Ｌ１とテストパスＴ２の両端に位置する接続点Ｐ２から入力ポートＩｎ１までの距離Ｌ２との合計と、同じである。つまり、伝送路２経由の信号経路とバイパスケーブルＢＣ経由の信号経路とを比較すると、伝送路２が存在するかしないかの点で両者は相違している。非特許文献２および３が示すように伝送路についてはローパスフィルタとしてモデル化することができるので、伝送路２経由の信号経路は、バイパスケーブルＢＣ上に、ローパスフィルタが設けられたものとみなすことができる。このような状況の下、ディジタルフィルタＤＦ−１の既に設定されたフィルタパラメータが維持された状態において、ディジタルフィルタＤＦ−２のフィルタパラメータを調整し（変更し）続けた結果、ＦＦＴ５３とＦＦＴ５４が出力した各周波数スペクトル成分間の差が所定のしきい値以下になったということは、調整が完了したディジタルフィルタＤＦ−２のフィルタパラメータは、評価対象である伝送路２のローパスフィルタ特性を規定するパラメータと同等のものであるということを意味する。換言すれば、評価対象である伝送路２をローパスフィルタとしてモデル化したときのローパスフィルタ特性を規定するパラメータは、「ＦＦＴ５３とＦＦＴ５４が出力した各周波数スペクトル成分間の差が所定のしきい値以下になったときのディジタルフィルタＤＦ−２のフィルタパラメータである」ということである。このように、ディジタルフィルタＤＦ−１およびディジタルフィルタＤＦ−２の各フィルタパラメータの設定は、評価対象である伝送路２に係る信号経路およびバイパスケーブルＢＣに係る信号経路についての各周波数スペクトル成分の差を用いて実行されるので、両信号経路に共通して存在する各種ケーブル、コネクタおよびテスト治具による影響を排除することができる利点がある。
【手続補正１１】
【補正対象書類名】明細書
【補正対象項目名】０１０４
【補正方法】変更
【補正の内容】
【０１０４】
バイパスケーブルＢＣは、評価対象である伝送路２を伝送路モデル化装置１１に接続するのに用いられるケーブル（テストパスＴ１およびテストパスＴ２）と同じケーブル長およびケーブル特性を有するものとする。すなわち、バイパスケーブルＢＣの両端に位置する出力ポートＯｕｔ２から入力ポートＩｎ２までの距離は、テストパスＴ１の両端に位置する出力ポートＯｕｔ１から接続点Ｐ１までの距離Ｌ１とテストパスＴ２の両端に位置する接続点Ｐ２から入力ポートＩｎ１までの距離Ｌ２との合計と、同じである。